(57)【特許請求の範囲】
【請求項１】
固定配管されている管体の固定部間の２箇所を切断して所定長さの管体を切離す管体切断方法であって、
前記管体の２箇所の切断部で該管体の外周にそってカッターを旋回させつつ管体軸線と直交する方向に移動させて切削して前記２箇所に溝を形成し、前記管体が切断される直前で切削移動を停止させる切削工程と、
該切削工程で生じた切粉が前記管体内に侵入しないように該切削工程で生じた切粉を前記２箇所の溝の外部へ排出する排出工程と、
切削された前記２箇所の溝の残余の薄肉部に管体外周にそって鋭角な刃部を有する打撃カッターを旋回させつつ連続的に打撃を付与して切断する切断工程とで行うことを特徴とする管体切断方法。
【請求項２】
前記切削工程は、切削される溝底部が前記管体軸線に対し傾斜部を形成し、切断工程では切削された残余の最小薄肉部を切断することを特徴とする請求項１に記載の管体切断方法。
【発明の詳細な説明】
【０００１】
【発明の属する技術分野】
本発明は、固定配管された管体の一部を所定間隔で切断する際、切削の際に生ずる切粉が管体内部に侵入することのないように行うことができ、極めて衛生的で安全な管体切断方法に関する。
【０００２】
【従来の技術】
近年、人口の増加に伴い多量の給水が必要となり、これらを供給する送水管、配水管として使用される配管の口径も比例的に大径化しつつある。
【０００３】
一方、これらの配管は、大半が地下に埋設されているが都市計画等によりしばしば変更となり、例えば在来の配管に別の配管を接続したり、マンホールを増設するために配管の途中を所定間隔に切断する工事を行う場合がある。
【０００４】
また、地震等の自然災害による亀裂や長年に亘り使用されて腐食が生ずるとその部分を所定間隔に亘って切断し、その部分に別の管体を接続する工事が行なわれる。
【０００５】
さらに、前述した埋設管以外にも、化学プラントや水力または原子力発電所等に使用されている配管は地上に設置されている。
【０００６】
これらの配管は、水平、垂直および斜め等多様な配管形態が採られており、このような各種形態の固定配管をその途中から所定長さの管体を切離すため部分的に所定間隔で切断される。
【０００７】
このような固定配管の切断作業は、主に現場で行われるもので、配管内には通常、流体（例えば水）が内在したままの状態で行われるが、切断時にはその部分は遮断した状態となる。
【０００８】
また、このような管体の切断作業に使用される切断装置２、３は、図３に示すように、水平に設置された固定配管の管体１外周に複数の図示しないカッター（バイト）を旋回させつつ管体１の軸線と直交する方向に送りをかけて切削加工を行うものである。
【０００９】
【発明が解決しようとする課題】
このような管体１の切断作業では、切削加工により管体を切断する際に切粉が発生し、これらの切粉の大半は切断部４、５より管体１内部に落下していた。
【００１０】
例えば、図４に示すように縦方向に配管されている管体１の途中を、この管体１の外周にカッター（バイト）６を旋回させて所定間隔で切断する場合は、切断箇所７より下方近くまで水面部８が来ており、切削作業時の切粉９が配管の水中に落下する。
【００１１】
従って、このように配管内に切粉が混入すると、この水と共に流れる切粉により弁にカジリを生じさせ、または配管途中に設けられている各種機器を損傷させ、これが装置内に侵入すると大事故を誘発する等危険性を有している。
【００１２】
このように、工事現場における配管の切断作業時に、配管の切断部分から配管内部に切粉が侵入しないように行う管体の切断加工方法は未だ提案されていなかった。
【００１３】
本発明は、固定配管された管体の一部を所定間隔で切断する際、切削の際に生ずる切粉が管体内部に侵入することのないように行うことができる管体切断方法を提供することを目的とする。
【００１４】
【課題を解決するための手段】
請求項１の発明は、固定配管されている管体の固定部間の２箇所を切断して所定長さの管体を切離す管体切断方法であって、
前記管体の２箇所の切断部で該管体の外周にそってカッターを旋回させつつ管体軸線と直交する方向に移動させて切削して前記２箇所に溝を形成し、前記管体が切断される直前で切削移動を停止させる切削工程と、
該切削工程で生じた切粉が前記管体内に侵入しないように該切削工程で生じた切粉を前記２箇所の溝の外部へ排出する排出工程と、
切削された前記２箇所の溝の残余の薄肉部に管体外周にそって鋭角な刃部を有する打撃カッターを旋回させつつ連続的に打撃を付与して切断する切断工程とで行うことを特徴としている。
この特徴によれば、切削工程においては、管体の固定部間の２箇所の切断部でカッターの切削移動を管体が切断される直前で停止させた後、切削により生じた切粉は溝の外部に排出されるので切断部の周辺には切粉が無くなり、その後の切断工程において溝の残余の薄肉部に管体外周にそって鋭角な刃部を有する打撃カッターを旋回させつつ連続的に打撃を付与することにより切断されるので切粉が配管内に侵入することがなくなる。
【００１５】
請求項２の発明は、請求項１において、切削工程が、切削される溝底部に前記管体軸線に対し傾斜部を形成し、切断工程では切削された残余の最小薄肉部を切断することが好ましい。
このようにすることで、その後の残余の最小薄肉部の外力の付加による切断が容易となる。
【００１６】
【実施例】
以下、実施例を挙げ図面に基づいて本発明を説明する。
【００１７】
図１は、本発明の管体切断方法の１実施例を示し、管体切削加工の説明図である。
【００１８】
本発明の管体切断は、管体１０の外周にそってカッター１１を旋回させつつ管体１０の軸線と直交する方向に移動させて切削し、管体１０が切断される直前で切削移動（送り）を停止させる切削工程と、この切削工程で生じた切粉を溝の外部へ排出する排出工程と、切削された残余の薄肉部Ｔ１を外力の付加により切断する切断工程とで行われる。
【００１９】
図１に併せて示す第２実施例では、切削加工に際し、使用されるカッター１１先端の切り刃部を、管体１０の軸線に対し傾斜部を形成したものである。
【００２０】
詳しくは、カッター１１の切り刃部を、例えば三角形状に形成することで後述するカッターにより加工される溝底部に外力を付加させる際、溝２６底部の最小薄肉部Ｔ１に応力の集中を可能にすることで外力の付加による切断加工を容易にした。
【００２１】
さらに、図２は連続的に打撃を付与するカッターで管体の残余の薄肉部を切断する工程の説明図である。
【００２２】
この切断工程は、切削された残余の最小薄肉部Ｔ１に管体外周にそって鋭角な刃部を有する打撃カッター１３を旋回させつつ連続的な打撃力ＦＳを付与して切断を行うものである。
【００２３】
次に、本発明の管体切断作用につき説明する。
【００２４】
図１に示す切削工程では、カッター１１の移動を管体１０が切断される直前で停止させた後、切削により生じた切粉は、例えば図示しない排出手段としてのバキュームにより溝の外部に排出されるため切断部周辺には切粉が無くなり、切削された残余の薄肉部Ｔ１を外力の付加により切断するので切粉が管体内に侵入することがなくなる。
【００２５】
また、切削工程では、図１に併せて示すようにカッター１１により形成される溝底部が、管体１０の軸線に対し例えば三角形状の傾斜部が形成されるよう行われるので、その後の残余の薄肉部である最小薄肉部Ｔ１の外力の付加による切断が容易となる。
【００２６】
そして、切断工程では、切削された残余の最小薄肉部Ｔ１を鋭角な刃部を有する打撃カッター１３を旋回させつつ連続的に打撃力ＦＳを付与することにより切断を行うので、硬度を有する材質でも切粉を生じさせることなく容易に切断することができる。
【００２７】
以上、本発明の実施例を図面によって説明してきたが、具体的な構成はこれら実施例に限られるものではなく、本発明の要旨を逸脱しない範囲における変更や追加があっても本発明に含まれる。
【００２８】
【発明の効果】
本発明は次の効果を奏する。
【００２９】
（ａ）請求項１の発明によれば、切削工程においては、カッターの切削移動を管体が切断される直前で停止させた後、切削により生じた切粉は溝の外部に排出されるので切断部の周辺には切粉が無くなり、その後の切断工程において残余の薄肉部に管体外周にそって鋭角な刃部を有する打撃カッターを旋回させつつ連続的に打撃を付与して切断するので、硬度を有する材質でも切粉を生じさせることなく容易に切断することができる。
【００３０】
（ｂ）請求項２の発明によれば、切削工程では、切削により形成される溝底部が、管体軸線に対し傾斜部が形成されると共に、切断工程では切削された残余の最小薄肉部を切断するので、その後の残余の最小薄肉部の外力の付加による切断が容易となる。
【００３１】
【図面の簡単な説明】
【図１】  本発明の管体切断方法の第１実施例を示し、管体切削加工の説明図である。
【図２】  本発明の実施例を示し、連続的に打撃を付与するカッターで管体の残余の薄肉部を切断する工程の説明図である。
【図３】  固定配管を所定間隔で切断する状態を示す説明図である。
【図４】  縦方向の固定配管を所定間隔で切断する従来の切断方法を示す説明図である。
【符号の説明】
１        管体
２、３    切断装置
４、５    切断部
６        バイト（カッター）
７        切断箇所
８        水面部
９        切粉
１０        管体
１１        カッター
１３        打撃カッター
ＦＳ        打撃力
Ｔ１        残余の薄肉部（最小薄肉部）
【図１】
0003871726.tif 000002
【図２】
0003871726.tif 000003
【図３】
0003871726.tif 000004
【図４】
0003871726.tif 000005